(57)【特許請求の範囲】
【請求項１】
録音機能を備えた通信端末装置において、
発信元情報を受信可能な受信手段と、
前記発信元情報及びその関連情報とを対応付けて記憶する発信元情報記憶手段と、
受信した発信元情報に基づき、前記発信元情報記憶手段に記憶された関連情報を検索する検索手段と、
検索の結果、対応する関連情報があった場合には、発信元情報及びその関連情報を含む応答メッセージを作成し、対応する関連情報がなかった場合には、発信元情報を含む応答メッセージを作成する作成手段と、
作成した応答メッセージを送出する送出手段と、
を備えたことを特徴とする通信端末装置。
【請求項２】
前記応答メッセージのパターン情報を複数通り記憶するパターン記憶手段を備え、
前記作成手段は、受信した発信元情報に応じて、所定のパターン情報を選択し、その選択したパターン情報に基づき、発信元情報若しくはその関連情報を含む応答メッセージを作成することを特徴とする請求項１に記載の通信端末装置。
【請求項３】
第２の応答メッセージを記憶するメッセージ記憶手段を備え、
前記受信手段が発信元情報を受信しなかった場合に、前記送出手段は前記第２の応答メッセージを送出することを特徴とする請求項１又は請求項２に記載の通信端末装置。
【請求項４】
前記発信元情報は、電話番号であり、前記関連情報は、発信元名情報であることを特徴とする請求項１乃至請求項３のいずれかに記載の通信端末装置。
【発明の詳細な説明】
【０００１】
【発明の属する技術分野】
本発明は、録音機能と発信元情報を受信可能な受信手段とを備えた通信端末装置に関し、特に、応答メッセージ中に発信元情報（例えば、発信元電話番号等）やそれの関連情報（例えば、発信元名等）を含ませることにより、着信者側における発信者の正確な確認や着信者の早急に折り返し電話する意志等を発信者に伝えることが可能となると共に、発信者に親近感のある応答メッセージを容易に送出することが可能な通信端末装置に関するものである。
【０００２】
【従来の技術】
従来より、電話機等の通信端末装置においては、留守番録音機能と発信元情報を受信可能な受信手段とを備えた通信端末装置が種々提案されている。例えば、特開平９−２７８５１号公報に記載の留守番電話装置においては、加入者線交換機から送出される発信者の電話番号情報を含む通話情報を受信し、通話開始以前に発信者電話番号情報を通知する機能を備えた留守番電話装置であり、着信時に応答に先立って前記発信者電話番号情報を受信する発信者電話番号受信手段と、該発信者電話番号受信手段が受信した発信者電話番号を記憶する発信者電話番号記憶手段と、発信者からの呼出に自動応答し、応答メッセージを送出する応答メッセージ送出手段と、発信者の伝言メッセージを録音し、再生する伝言メッセージ録音手段と、前記伝言メッセージに対応する発信者の電話番号を表示する電話番号表示手段と、前記発信者電話番号記憶手段から、前記伝言メッセージに対応する発信者の電話番号を検索する電話番号検索手段と、前記発信者電話番号受信手段、前記発信者電話番号記憶手段、前記応答メッセージ送出手段、前記伝言メッセージ録音手段、前記電話番号表示手段、及び前記電話番号検索手段の動作を制御する制御手段とを有している。
【０００３】
これにより、加入者線交換機から送出される発信者からの発呼を受信すると、制御手段の制御によって、着信時の応答に先立って発信者の電話番号情報が発信者電話番号受信手段によって受信され、発信者電話番号受信手段が受信した発信者電話番号は、発信者電話番号記憶手段に記録される。次いで、制御手段の制御によって、応答メッセージ送出手段が発信者からの呼出に自動応答し、応答メッセージ録音手段が作動して、発信者からの伝言メッセージが録音される。そして、伝言メッセージ録音手段に再生操作が施されると、制御手段の制御によって、電話番号検索手段が作動して、発信者電話番号記憶手段から、該伝言メッセージに対応する発信者の電話番号が検索され、電話番号表示手段に、該伝言メッセージに対応する発信者の電話番号が表示されるので、表示される電話番号により、伝言メッセージを残した発信者に容易に折り返しの電話をすることが可能となる。
【０００４】
【発明が解決しようとする課題】
しかしながら、前記特開平９−２７８５１号公報に記載された留守番電話装置では、発信者は、当該留守番電話装置に発信者電話番号情報を受信する発信者電話番号受信手段と、該発信者電話番号受信手段が受信した発信者電話番号を記憶する発信者電話番号記憶手段とが搭載されているか否か分からないため、発信者は、伝言メッセージに発信者の名前や電話番号を入れる必要があり、加入者線交換機から送出される発信者の電話番号情報を含む通話情報を有効に活用することができないという問題がある。また、発信者は、この伝言メッセージに発信者名や電話番号を確実に入れたか否か確認できないという問題がある。
【０００５】
そこで、本発明は、上述した問題点を解決するためになされたものであり、応答メッセージ中に発信元情報（例えば、発信元電話番号等）やこれの関連情報（例えば、発信元名等）を含ませることにより、着信者側における発信者の正確な確認や着信者の早急に折り返し電話する意思等を発信者に伝えることが可能となると共に、発信者に親近感のある応答メッセージを容易に送出することが可能な通信端末装置を提供することを目的とする。
【０００６】
【課題を解決するための手段】
前記目的を達成するため請求項１に係る通信端末装置は、録音機能を備えた通信端末装置において、発信元情報を受信可能な受信手段と、前記発信元情報及びその関連情報とを対応付けて記憶する発信元情報記憶手段と、受信した発信元情報に基づき、前記発信元情報記憶手段に記憶された関連情報を検索する検索手段と、検索の結果、対応する関連情報があった場合には、発信元情報及びその関連情報を含む応答メッセージを作成し、対応する関連情報がなかった場合には、発信元情報を含む応答メッセージを作成する作成手段と、作成した応答メッセージを送出する送出手段と、を備えたことを特徴とする。
【０００７】
このような特徴を有する請求項１に係る通信端末装置によれば、録音機能を備えると共に、受信手段によって発信元情報が受信された場合には、この発信元情報に対応する関連情報が発信元情報記憶手段に記憶されているか否か検索手段によって検索される。検索の結果、対応する関連情報があった場合には、発信元情報及びその関連情報を含む応答メッセージが作成手段により作成され、対応する関連情報がなかった場合には、発信元情報を含む応答メッセージが作成手段により作成される。そして、この作成された応答メッセージが、送出手段を介して発信者に送出される。
これにより、着信者は、発信元情報に対応する関連情報を予め発信元情報記憶手段に記憶させておくことにより、発信元情報を受信した場合に、発信元情報及びその関連情報を含む応答メッセージを発信者に送出することが可能となる。また、発信者は、応答メッセージから着信者側における発信者の発信元情報やその関連情報の正確な確認を知ることが可能となる。さらに、応答メッセージに発信元情報やその関連情報を含ませることができるため、発信者に親近感のある応答メッセージを容易に送出することが可能となる。また、発信元情報を受信した場合に、対応する関連情報がなかったときには、発信元情報を含む応答メッセージを発信者に送出することが可能となり、発信者は、応答メッセージから着信者側における発信者の発信元情報の正確な確認を知ることが可能となる。
【０００８】
また、請求項２に係る通信端末装置は、請求項１に記載の通信端末装置において、前記応答メッセージのパターン情報を複数通り記憶するパターン記憶手段を備え、前記作成手段は、受信した発信元情報に応じて、所定のパターン情報を選択し、その選択したパターン情報に基づき、発信元情報若しくはその関連情報を含む応答メッセージを作成することを特徴とする。
【０００９】
このような特徴を有する請求項２に係る通信端末装置によれば、請求項１に記載の通信端末装置において、前記作成手段により、パターン記憶手段に記憶されている複数通りのパターン情報から受信した発信元情報に応じた所定のパターン情報が選択されて、この選択されたパターン情報に基づいて発信元情報若しくはその関連情報を含む応答メッセージが作成される。
これにより、選択された所定のパターン情報に基づいて発信元情報若しくはその関連情報を含む応答メッセージが作成されるため、着信者は、発信者に適切に対応した応答メッセージを送出することが可能となると共に、発信者により親近感のある応答メッセージを送出することが可能となる。また、発信者は、適切な発信元情報若しくはその関連情報を含む応答メッセージが送られてくるため、着信側における発信者の発信元情報やその関連情報の正確な確認を知ることが可能となると共に、着信者からの応答メッセージに好感を持って対応することが可能となる。
【００１０】
また、請求項３に係る通信端末装置は、請求項１又は請求項２に記載の通信端末装置において、第２の応答メッセージを記憶するメッセージ記憶手段を備え、前記受信手段が発信元情報を受信しなかった場合に、前記送出手段は前記第２の応答メッセージを送出することを特徴とする。
【００１１】
このような特徴を有する請求項３に係る通信端末装置によれば、請求項１又は請求項２に記載の通信端末装置において、前記受信手段が発信元情報を受信しなかった場合には、メッセージ記憶手段に記憶されている第２の応答メッセージが、発信者に送出されるため、発信元情報を受信していない旨の第２の応答メッセージを発信者に送出することが可能となる。また、発信者は、この第２の応答メッセージから着信者側において発信元情報を受信していないことを知ることが可能となると共に、発信元情報等を確実に伝えることが可能となる。
【００１２】
さらに、請求項４に係る通信端末装置は、請求項１乃至請求項３のいずれかに記載の通信端末装置において、前記発信元情報は、電話番号であり、前記関連情報は、発信元名情報であることを特徴とする。
【００１３】
このような特徴を有する請求項４に係る通信端末装置によれば、請求項１乃至請求項３のいずれかに記載の通信端末装置において、前記発信元情報は、電話番号であり、前記関連情報は、発信元名情報であるため、前記応答メッセージに発信者の電話番号若しくは発信者名を含ませることが可能となる。また、発信者は、この応答メッセージから着信者側における発信者の電話番号や発信者名の正確な確認を知ることが可能となる。
【００１４】
【発明の実施の形態】
以下、本発明に係る通信端末装置について、本発明を留守番録音機能付きの電話機につき具体化した実施形態に基づいて図面を参照しつつ詳細に説明する。先ず、本実施形態に係る留守番録音機能付きの電話機の概略構成について図１に基づき説明する。図１は本実施形態に係る留守番録音機能付きの電話機の概略構成を示すブロック図である。
【００１５】
図１に示すように、電話回線２０に接続される電話機１の概略構成は、発信元電話番号付加判別手段２、着信信号検出手段３、ラインリレー４、発信元電話番号判別手段５、終話検出手段６、通話回路７、応答メッセージ送出手段８、伝言メッセージ録音手段９、アンプ１０、スピーカ１１、ＣＰＵ１２、ＲＯＭ１３、ＥＥＰＲＯＭ１４、ＲＡＭ１５、ダイヤル発信手段１６、表示手段１７、操作手段１８、タイマ１９、及び呼び出し手段２１等を備えている。
電話回線２０には、加入者線交換機からアナログ回線等に送出される発信元情報としての発信元電話番号データ等を受信する機能を有する発信元電話番号受信端末を起動するために、交換機から送られる発信元電話番号受信端末起動信号を受信する発信元電話番号付加判別手段２が、回線閉結用のラインリレー４を介さずに直接接続されている。同様に、電話回線２０には、着信信号を検出する着信信号検出手段３が、回線閉結用のラインリレー４を介さずに直接接続されている。さらに、電話回線２０には、ラインリレー４を介して、発信元電話番号データ等を含む通話情報を受信し、発信元電話番号データを検出する発信元電話番号判別手段５、発信者の終話を検出する終話検出手段６、及び電話回線２０との通話を行う通話回路７が接続されている。
【００１６】
一方、電話機１の全体を制御するＣＰＵ１２が設けられ、発信元電話番号付加判別手段２、着信信号検出手段３、ラインリレー４、発信元電話番号判別手段５、及び終話検出手段６はＣＰＵ１２に接続されている。また、通話回路７には、応答メッセージを送出する応答メッセージ送出手段８と、発信者の伝言メッセージを記録し再生する伝言メッセージ録音手段９とが接続され、この応答メッセージ送出手段８と伝言メッセージ録音手段９とは、ＣＰＵ１２にも接続されている。そして、伝言メッセージ録音手段９には、アンプ１０を介して伝言メッセージを発声するスピーカ１１が接続されている。
【００１７】
また、ＣＰＵ１２には、電話機機能等を実行するのに必要な各種プログラムやデータ等を記憶しているＲＯＭ１３、各種の登録データやフラッグ等を記憶しているＥＥＰＲＯＭ１４、及び各種ディジタルデータを一時記憶するＲＡＭ１５が接続されている。また、ＥＥＰＲＯＭ１４には、「電話番号」とそれに対応する「名前」と応答メッセージの「メッセージタイプ」より構成される後述の電話番号データテーブル２５（図２参照）が記憶される電話番号データテーブル記憶エリア１４Ａや、タイプ別の応答メッセージから構成される後述の応答メッセージデータテーブル２６（図３参照）が記憶される応答メッセージ記憶エリア１４Ｂ等が設けられている。
【００１８】
また、ＣＰＵ１２には、通話回路７に接続され、テンキー等で構成されるダイヤル発信手段１６、電話番号等を表示する表示手段１７、再生操作や発信操作等の操作を行う操作手段１８、一定時間を計測してタイムアウト信号を出力するタイマ１９、及び呼び出し音により着信を知らせる呼び出し手段２１が接続されている。
【００１９】
ここで、ＥＥＰＲＯＭ１４の電話番号データ記憶エリア１４Ａに記憶されている電話番号データテーブル２５について図２に基づいて説明する。図２は本実施形態に係る電話機１のＥＥＰＲＯＭ１４の電話番号データ記憶エリア１４Ａに記憶される電話番号データテーブル２５の一例を示す図である。
図２に示されるように、電話番号データテーブル２５は、「電話番号」、この「電話番号」に対応する「名前」、及びこの「電話番号」に対応する応答メッセージの「メッセージタイプ」から構成されている。
よって、「電話番号」が「０１２３４５６７８９」の場合には、この「電話番号」に対応する「名前」は「ＹＹ」、「メッセージタイプ」は「１」である。また、「電話番号」が「０１２３４５１２３４」の場合には、この「電話番号」に対応する「名前」は「ＷＷ」、「メッセージタイプ」は「２」である。さらに、「電話番号」が「０１２３４５２３４５」の場合には、この「電話番号」に対応する「名前」は「ＶＶ」、「メッセージタイプ」は「３」である。
尚、本実施形態の電話番号データテーブル２５の「メッセージタイプ」には、「１」から「３」までのいずれかが選択されて予め設定登録される。そして、「メッセージタイプ」が「１」の応答メッセージ内容は、得意先に対して送出する応答メッセージである。また、「メッセージタイプ」が「２」の応答メッセージ内容は、友人に対して送出する応答メッセージである。さらに、「メッセージタイプ」が「３」の応答メッセージ内容は、目上の知人に対して送出する応答メッセージである。また、図２には、登録されたデータ例として３件の例が示されているが、最大登録件数は記憶容量が許す限り任意である。
【００２０】
また、ＥＥＰＲＯＭ１４の応答メッセージ記憶エリア１４Ｂに記憶されている応答メッセージデータテーブル２６について図３に基づいて説明する。図３は本実施形態に係る電話機１のＥＥＰＲＯＭ１４の応答メッセージ記憶エリア１４Ｂに記憶される応答メッセージデータテーブル２６の一例を示す図である。
図３に示すように、応答メッセージデータテーブル２６は、「メッセージタイプ」、この「メッセージタイプ」に対応する「定型応答メッセージ１」、「定型応答メッセージ２」、及び「定型応答メッセージ３」から構成されている。また、「メッセージタイプ」は、「１」から「５」までの５タイプの各定型応答メッセージ１、２、３が予め登録されている。
よって、「メッセージタイプ」が「１」の場合には、この「メッセージタイプ」に対応する「定型応答メッセージ１」は、「こちらＸＸ商店でございます。」である。また、「定型応答メッセージ２」は、「様より、お電話頂き誠にありがとうございます。あいにく留守にしておりますので折り返し、」である。さらに、「定型応答メッセージ３」は、「まで、連絡させて頂きます。よろしければメッセージをお願いいたします。」である。
また、「メッセージタイプ」が「２」の場合には、この「メッセージタイプ」に対応する「定型応答メッセージ１」は、「はい、ＸＸです。」である。また、「定型応答メッセージ２」は、「さんですね。折り返し、」である。さらに、「定型応答メッセージ３」は、「まで連絡します。ただいま留守にしていますのでメッセージをどうぞ。」である。
また、「メッセージタイプ」が「３」の場合には、この「メッセージタイプ」に対応する「定型応答メッセージ１」は、「はい、ＸＸです。わざわざ、」である。また、「定型応答メッセージ２」は、「さんよりお電話頂きありがとうございます。あいにく留守にしていますので折り返し、」である。さらに、「定型応答メッセージ３」は、「まで、連絡させて頂きます。よろしければメッセージをお願いいたします。」である。
また、「メッセージタイプ」が「４」の場合には、この「メッセージタイプ」に対応する「定型応答メッセージ１」は、「はい、ＸＸです。」である。また、「定型応答メッセージ２」は、「折り返し、」である。さらに、「定型応答メッセージ３」は、「まで、連絡します。メッセージをお願いします。」である。
さらに、「メッセージタイプ」が「５」の場合には、この「メッセージタイプ」に対応する「定型応答メッセージ１」は、「はい、ＸＸです。」である。また、「定型応答メッセージ２」は、「−」で、データは無い。さらに、「定型応答メッセージ３」は、「ただいま留守にしていますのでメッセージをお願いします。」である。
【００２１】
ここで、通話回路７と伝言メッセージ録音手段９とが録音機能として機能する。また、発信元電話番号付加判別手段２及び発信元電話番号判別手段５により受信手段が構成される。また、ＣＰＵ１２、ＲＯＭ１３、ＥＥＰＲＯＭ１４、及びＲＡＭ１５により作成手段が構成される。また、通信回路７及び応答メッセージ送出手段８により送出手段が構成される。また、ＥＥＰＲＯＭ１４の電話番号データテーブル記憶エリア１４Ａは、発信元情報記憶手段として機能する。また、ＣＰＵ１２は、検索手段として機能する。また、ＥＥＰＲＯＭ１４の応答メッセージ記憶エリア１４Ｂは、パターン記憶手段及びメッセージ記憶手段として機能する。
【００２２】
次に、このように構成された電話機１の留守番録音機能作動中に着信した場合における応答メッセージ送出処理の手順について図４及び図５に基づいて説明する。図４は本実施形態に係る電話機１の留守番録音機能作動中に着信した場合における、発信元電話番号が電話番号データテーブル２５に登録されている場合の応答メッセージ送出処理のフローチャートである。図５は本実施形態に係る電話機１の留守番録音機能作動中に着信した場合における、発信元電話番号が電話番号データテーブル２５に未登録の場合の応答メッセージ送出処理のフローチャートである。
【００２３】
先ず、図４に示されるように、ステップ（以下、Ｓと略記する）１において、着信信号検出手段３により電話回線２０を介して発呼者から呼出信号が着信したか否かが判定される。そして、着信していない場合には（Ｓ１：ＮＯ）、着信するまで待機し、着信があった場合には（Ｓ１：ＹＥＳ）、ＣＰＵ１２に着信検出信号が入力される。
【００２４】
次に、ＣＰＵ１２は、Ｓ１で着信検出信号の入力を検知すると、Ｓ２において、その着信が発信元電話番号が付加されたものかどうかを発信元電話番号付加判別手段２により判別する。
ここで、発信元電話番号が付加されている場合には、加入者線交換機からの着信信号が、発信元の電話番号の無い信号と変えてあるため、電話機１の発信元電話番号付加判別手段２により着信信号の違いを判別し、発信元の電話番号が付加されたものであるかそうでないかを判別可能となっている。
【００２５】
そして、今回の着信が発信元の電話番号が付加されたものであると発信元電話番号付加判別手段２により判定された場合には、発信元電話番号付加判別手段２からＣＰＵ１２に発信元電話番号付加検出信号が入力される。
【００２６】
続いて、ＣＰＵ１２は、発信元電話番号付加検出信号の入力を検知すると、ラインリレー４をオンして、電話回線２０を閉結し、発信元電話番号判別手段５を起動する。発信元電話番号判別手段５は、発信元電話番号を判別し、ＣＰＵ１２へ出力する。ＣＰＵ１２は、入力されたこの発信元電話番号をＲＡＭ１５に記憶して、ラインリレー４をオフして、一旦回線を開放する。尚、起動時には、発信元電話番号として、「００００００００００」がＲＡＭ１５に記憶されている。即ち、ＲＡＭ１５に記憶されている発信元電話番号は、クリアされている。
そして、ＣＰＵ１２は、入力された発信元電話番号を表示手段１７に表示すると共に、同時にタイマ１９を起動させ呼び出し手段２１に呼び出し開始を指示する。そして、タイマ１９からタイムアウト信号の入力があると、呼び出し手段２１に呼び出し停止を指示する。
一方、ＣＰＵ１２は、再度、ＲＡＭ１５から前記発信元電話番号を読み出し、この発信元電話番号と一致する電話番号が、電話番号データ記憶エリア１４Ａに予め記憶されている電話番号データテーブル２５（図２参照）の「電話番号」のデータに登録されているか否かを判別する（Ｓ２）。
【００２７】
そして、前記発信元電話番号と一致する電話番号が、電話番号データテーブル２５の「電話番号」のデータに登録されている場合には（Ｓ２：ＹＥＳ）、Ｓ３において、この「電話番号」のデータに対応する電話番号データテーブル２５の「メッセージタイプ」のデータを読み込み、ＲＡＭ１５に記憶する。
例えば、図２に示すように、発信元電話番号が「０１２３４５６７８９」の場合には、この電話番号に一致する「電話番号」のデータに対応する「メッセージタイプ」のデータとして「１」が読み込まれ、ＲＡＭ１５に記憶される。また、発信元電話番号が「０１２３４５１２３４」の場合には、この電話番号に一致する「電話番号」のデータに対応する「メッセージタイプ」のデータとして「２」が読み込まれ、ＲＡＭ１５に記憶される。また、発信元電話番号が「０１２３４５２３４５」の場合には、この電話番号に一致する「電話番号」のデータに対応する「メッセージタイプ」のデータとして「３」が読み込まれ、ＲＡＭ１５に記憶される。
【００２８】
続いて、ＣＰＵ１２は、再度、ラインリレー４をオンして電話回線２０を閉結すると共に、同時に、ＲＡＭ１５から、前記「メッセージタイプ」のデータを読み出す。そして、応答メッセージ記憶エリア１４Ｂに記憶されている応答メッセージデータテーブル２６（図３参照）からこの「メッセージタイプ」のデータに対応する「定型応答メッセージ１」を読み込み、応答メッセージ送出手段８に出力する。
例えば、図３に示すように、「メッセージタイプ」のデータが「１」の場合には、対応する「定型応答メッセージ１」のデータとして「こちらＸＸ商店でございます。」が、応答メッセージデータテーブル２６から読み出されて、応答メッセージ送出手段８に出力される。また、「メッセージタイプ」のデータが「２」の場合には、対応する「定型応答メッセージ１」のデータとして「はい、ＸＸです。」が、応答メッセージデータテーブル２６から読み出されて、応答メッセージ送出手段８に出力される。さらに、「メッセージタイプ」のデータが「３」の場合には、対応する「定型応答メッセージ１」のデータとして「はい、ＸＸです。わざわざ、」が、応答メッセージデータテーブル２６から読み出されて、応答メッセージ送出手段８に出力される。
【００２９】
そして、応答メッセージ送出手段８は、ＣＰＵ１２から「定型応答メッセージ１」のデータを入力されると、通信回路７を介して電話回線２０にこの入力された「定型応答メッセージ１」のデータを音声信号に変調して出力する。
【００３０】
次に、Ｓ４において、ＣＰＵ１２は、再度、ＲＡＭ１５から前記発信元電話番号を読み出す。そして、この発信元電話番号と一致する電話番号データテーブル２５（図２参照）の「電話番号」のデータを検索し、この「電話番号」のデータに対応する電話番号データテーブル２５の「名前」のデータを読み込み、応答メッセージ送出手段８に出力する。
例えば、図２に示すように、発信元電話番号が「０１２３４５６７８９」の場合には、この電話番号に一致する「電話番号」のデータに対応する「名前」のデータとして「ＹＹ」が読み込まれ、応答メッセージ送出手段８に出力される。また、発信元電話番号が「０１２３４５１２３４」の場合には、この電話番号に一致する「電話番号」のデータに対応する「名前」のデータとして「ＷＷ」が読み込まれ、応答メッセージ送出手段８に出力される。また、発信元電話番号が「０１２３４５２３４５」の場合には、この電話番号に一致する「電話番号」のデータに対応する「名前」のデータとして「ＶＶ」が読み込まれ、応答メッセージ送出手段８に出力される。この意味で、電話番号データテーブル２５の「名前」のデータは、発信元名情報である。
【００３１】
そして、応答メッセージ送出手段８は、ＣＰＵ１２から「名前」のデータを入力されると、通信回路７を介して電話回線２０にこの入力された「名前」のデータを音声信号に変調して出力する。
【００３２】
次に、Ｓ５において、ＣＰＵ１２は、再度、ＲＡＭ１５から前記「メッセージタイプ」のデータを読み出す。そして、応答メッセージ記憶エリア１４Ｂに記憶されている応答メッセージデータテーブル２６（図３参照）からこの「メッセージタイプ」のデータに対応する「定型応答メッセージ２」を読み込み、応答メッセージ送出手段８に出力する。
例えば、図３に示すように、「メッセージタイプ」のデータが「１」の場合には、対応する「定型応答メッセージ２」のデータとして「様より、お電話頂き誠にありがとうございます。あいにく留守にしておりますので折り返し、」が、応答メッセージデータテーブル２６から読み出されて、応答メッセージ送出手段８に出力される。また、「メッセージタイプ」のデータが「２」の場合には、対応する「定型応答メッセージ２」のデータとして「さんですね。折り返し、」が、応答メッセージデータテーブル２６から読み出されて、応答メッセージ送出手段８に出力される。さらに、「メッセージタイプ」のデータが「３」の場合には、対応する「定型応答メッセージ２」のデータとして「さんよりお電話頂きありがとうございます。あいにく留守にしていますので折り返し、」が、応答メッセージデータテーブル２６から読み出されて、応答メッセージ送出手段８に出力される。
【００３３】
そして、応答メッセージ送出手段８は、ＣＰＵ１２から「定型応答メッセージ２」のデータを入力されると、通信回路７を介して電話回線２０にこの入力された「定型応答メッセージ２」のデータを音声信号に変調して出力する。
【００３４】
続いて、Ｓ６において、ＣＰＵ１２は、再度、ＲＡＭ１５から前記発信元電話番号を読み出す。そして、ＣＰＵ１２は、この読み出した発信元電話番号を発信者電話番号として応答メッセージ送出手段８に出力する。そして、応答メッセージ送出手段８は、ＣＰＵ１２からこの発信元電話番号のデータを入力されると、通信回路７を介して電話回線２０にこの入力されたこの発信元電話番号のデータを音声信号に変調して出力する。
【００３５】
次に、Ｓ７において、ＣＰＵ１２は、再度、ＲＡＭ１５から前記「メッセージタイプ」のデータを読み出す。そして、応答メッセージ記憶エリア１４Ｂに記憶されている応答メッセージデータテーブル２６（図３参照）からこの「メッセージタイプ」のデータに対応する「定型応答メッセージ３」を読み込み、応答メッセージ送出手段８に出力する。
例えば、図３に示すように、「メッセージタイプ」のデータが「１」の場合には、対応する「定型応答メッセージ３」のデータとして「まで、連絡させて頂きます。よろしければメッセージをお願いいたします。」が、応答メッセージデータテーブル２６から読み出されて、応答メッセージ送出手段８に出力される。また、「メッセージタイプ」のデータが「２」の場合には、対応する「定型応答メッセージ３」のデータとして「まで連絡します。ただいま留守にしていますのでメッセージをどうぞ。」が、応答メッセージデータテーブル２６から読み出されて、応答メッセージ送出手段８に出力される。さらに、「メッセージタイプ」のデータが「３」の場合には、対応する「定型応答メッセージ３」のデータとして「まで、連絡させて頂きます。よろしければメッセージをお願いいたします。」が、応答メッセージデータテーブル２６から読み出されて、応答メッセージ送出手段８に出力される。
【００３６】
そして、応答メッセージ送出手段８は、ＣＰＵ１２から「定型応答メッセージ３」のデータを入力されると、通信回路７を介して電話回線２０にこの入力された「定型応答メッセージ３」のデータを音声信号に変調して出力する。
【００３７】
続いて、Ｓ８において、ＣＰＵ１２は、応答メッセージ送出手段８からメッセージ送出終了信号が入力されると、応答メッセージ送出手段８を停止させ、伝言メッセージ録音手段９を起動する。そして、終話検出手段６から終話を示す通話終了信号が入力されるまで、伝言を録音し、終話検出手段６から通話終了信号が入力されると、伝言メッセージ録音手段９を停止させて伝言の録音を終了する。
【００３８】
次に、Ｓ９において、ＣＰＵ１２は、ＲＡＭ１５に格納されている発信元電話番号のデータをクリアした後、ラインリレー４をオフし、電話回線２０を開放して処理を終了する。
【００３９】
また、Ｓ２において、ＣＰＵ１２は、再度、ＲＡＭ１５から読み出した発信元電話番号と一致する電話番号が、電話番号データテーブル２５（図２参照）の「電話番号」のデータに登録されていない場合には（Ｓ２：ＮＯ）、図５に示すように、発信元電話番号が「００００００００００」か否かを判定する（Ｓ１０）。即ち、発信元電話番号が付加されているか否か判定する。
【００４０】
そして、ＣＰＵ１２は、発信元電話番号が「００００００００００」でない場合には、発信元電話番号が付加されていると判定し（Ｓ１０：ＹＥＳ）、「メッセージタイプ」のデータとして「４」を設定し、ＲＡＭ１５に記憶する（Ｓ１１）。
また、ＣＰＵ１２は、発信元電話番号が「００００００００００」の場合には、発信元電話番号が付加されていないと判定し（Ｓ１０：ＮＯ）、「メッセージタイプ」のデータとして「５」を設定し、ＲＡＭ１５に記憶する（Ｓ１２）。
【００４１】
次に、Ｓ１３において、ＣＰＵ１２は、再度、ラインリレー４をオンして電話回線２０を閉結すると共に、同時に、ＲＡＭ１５から、前記「メッセージタイプ」のデータを読み出す。そして、応答メッセージ記憶エリア１４Ｂに記憶されている応答メッセージデータテーブル２６（図３参照）からこの「メッセージタイプ」のデータに対応する「定型応答メッセージ１」を読み込み、応答メッセージ送出手段８に出力する。
例えば、図３に示すように、「メッセージタイプ」のデータが「４」の場合には、対応する「定型応答メッセージ１」のデータとして「はい、ＸＸです。」が、応答メッセージデータテーブル２６から読み出されて、応答メッセージ送出手段８に出力される。また、「メッセージタイプ」のデータが「５」の場合には、対応する「定型応答メッセージ１」のデータとして「はい、ＸＸです。」が、応答メッセージデータテーブル２６から読み出されて、応答メッセージ送出手段８に出力される。
【００４２】
そして、応答メッセージ送出手段８は、ＣＰＵ１２から「定型応答メッセージ１」のデータを入力されると、通信回路７を介して電話回線２０にこの入力された「定型応答メッセージ１」のデータを音声信号に変調して出力する。
【００４３】
次に、Ｓ１４において、ＣＰＵ１２は、再度、ＲＡＭ１５から、前記「メッセージタイプ」のデータを読み出す。そして、応答メッセージデータテーブル２６からこの「メッセージタイプ」のデータに対応する「定型応答メッセージ２」を読み込み、応答メッセージ送出手段８に出力する。
例えば、図３に示すように、「メッセージタイプ」のデータが「４」の場合には、対応する「定型応答メッセージ２」のデータとして「折り返し、」が、応答メッセージデータテーブル２６から読み出されて、応答メッセージ送出手段８に出力される。また、「メッセージタイプ」のデータが「５」の場合には、対応する「定型応答メッセージ２」のデータとして「−」が、応答メッセージデータテーブル２６から読み出されて、応答メッセージ送出手段８に出力される。即ち、「メッセージタイプ」のデータが「５」の場合には、「定型応答メッセージ２」のデータは、応答メッセージ送出手段８に出力されない。
【００４４】
そして、応答メッセージ送出手段８は、ＣＰＵ１２から「定型応答メッセージ２」のデータを入力されると、通信回路７を介して電話回線２０にこの入力された「定型応答メッセージ２」のデータを音声信号に変調して出力する。
【００４５】
次に、Ｓ１５において、ＣＰＵ１２は、再度、ＲＡＭ１５から、前記「メッセージタイプ」のデータを読み出し、「４」か「５」のいずれであるかを判定する。
そして、この「メッセージタイプ」のデータが、「４」の場合には（Ｓ１５：ＹＥＳ）、ＣＰＵ１２は、ＲＡＭ１５から「発信元電話番号」のデータを読み出す。そして、ＣＰＵ１２は、この読み出した「発信元電話番号」のデータを「発信者電話番号」として応答メッセージ送出手段８に出力する（Ｓ１６）。そして、応答メッセージ送出手段８は、ＣＰＵ１２からこの「発信元電話番号」のデータを入力されると、通信回路７を介して電話回線２０にこの入力された「発信元電話番号」のデータを音声信号に変調して出力する。
また、この「メッセージタイプ」のデータが、「４」でない場合には（Ｓ１５：ＮＯ）、即ち、この「メッセージタイプ」のデータが、「５」の場合には、何も応答メッセージ送出手段８に出力しない。
【００４６】
次に、Ｓ１７において、再度、ＲＡＭ１５から前記「メッセージタイプ」のデータを読み出す。そして、応答メッセージデータテーブル２６からこの「メッセージタイプ」のデータに対応する「定型応答メッセージ３」を読み込み、応答メッセージ送出手段８に出力する。そして、Ｓ８以降の処理を実行して処理を終了する。
例えば、図３に示すように、「メッセージタイプ」のデータが「４」の場合には、対応する「定型応答メッセージ３」のデータとして「まで、連絡します。メッセージをお願いします。」が、応答メッセージデータテーブル２６から読み出されて、応答メッセージ送出手段８に出力される。また、「メッセージタイプ」のデータが「５」の場合には、対応する「定型応答メッセージ３」のデータとして「ただいま留守にしていますのでメッセージをお願いします。」が、応答メッセージデータテーブル２６から読み出されて、応答メッセージ送出手段８に出力される。
よって、応答メッセージデータテーブル２６は、応答メッセージのパターン情報を構成する。そして、応答メッセージデータテーブル２６の「メッセージパターン」が「５」の各定型応答メッセージ１、２、３は、第２の応答メッセージを構成する。
【００４７】
以上詳細に説明した通り本実施形態に係る電話機１では、留守番録音機能作動中に着信した場合（Ｓ１：ＹＥＳ）、発信元電話番号判別手段５により付加されている発信元電話番号が検出され、この検出された発信元電話番号が、電話番号データテーブル２５に登録されているか否か判定される（Ｓ２）。そして、電話番号データテーブル２５にこの発信元電話番号が登録されている場合には（Ｓ２：ＹＥＳ）、電話番号データテーブル２５から、この発信元電話番号に一致する「電話番号」のデータに対応する「名前」と「メッセージタイプ」が読み出され、発信元電話番号を発信者電話番号とし、「名前」のデータを発信者名として、この発信者電話番号と発信者名とが含まれる各「メッセージタイプ」に対応した応答メッセージが、応答メッセージ送出手段８及び通話回路７を介して電話回線２０に送出される（Ｓ３〜Ｓ７）。また、電話番号データテーブル２５にこの発信元電話番号が登録されていない場合には（Ｓ２：ＮＯ）、発信元電話番号を発信者電話番号とし、この発信者電話番号が含まれた応答メッセージか、若しくは発信者電話番号が含まれない応答メッセージが、応答メッセージ送出手段８及び通話回路７を介して電話回線２０に送出される（Ｓ１０〜Ｓ１７）。そして、伝言メッセージが、録音されて、電話回線２０が開放される（Ｓ８〜Ｓ９）。
【００４８】
したがって、発信元電話番号に対応する関連情報として、「名前」や「メッセージタイプ」を予め電話番号データテーブル２５に登録し、また、各「メッセージタイプ」に対応する応答メッセージを予め応答メッセージデータテーブル２６に登録しておくことにより、発信元電話番号を受信した場合に、「発信者名」や「発信者電話番号」を含む応答メッセージを発信者に送出することが可能となる。また、発信者は、この応答メッセージから着信者側における発信者の正確な確認を知ることが可能となると共に、着信者は、早急に折り返し電話する意思等を発信者に伝えることが可能となる。さらに、応答メッセージに「発信者名」や「発信者電話番号」を含ませることができるため、発信者に親近感のある応答メッセージを容易に送出することが可能となると共に、発信者は、自己の電話番号や氏名を伝える煩わしい手間を無くすことが可能となる。
また、電話番号データテーブル２５及び応答メッセージデータテーブル２６に基づいて「発信者名」や「発信者電話番号」を含む応答メッセージが作成されるため、着信者は、発信者に適切に対応した応答メッセージを送出することが可能となると共に、発信者により親近感のある応答メッセージを送出することが可能となる。また、発信者は、着信者からの応答メッセージに好感を持って対応することが可能となる。
また、発信元電話番号が電話番号データテーブル２５に登録されていない場合には、「発信者電話番号」を含む応答メッセージが送出されるため、発信者は、応答メッセージから着信者側における発信者の正確な確認を知ることが可能となると共に、着信者は、早急に折り返し電話する意思等を発信者に伝えることが可能となる。
また、発信元電話番号が付加されていない場合には、発信者電話番号を含まない応答メッセージが送出されるため、発信者は、自己の電話番号や氏名をメッセージに入れて確実に送ることが可能となる。
【００４９】
尚、本発明は前記実施形態に限定されることはなく、本発明の要旨を逸脱しない範囲内で種々の改良、変形が可能であることは勿論である。例えば、以下のようにしてもよい。
（ａ）前記実施形態では、電話番号データテーブル２５の「メッセージタイプ」を「１」〜「３」の３タイプとしたが、年令、性別、時間帯等を考慮してもっと多くの「メッセージタイプ」を選択して、登録できるようにしてもよい。
（ｂ）前記実施形態では、応答メッセージデータテーブル２６の「メッセージタイプ」を「１」〜「５」の５タイプとしたが、年令、性別、時間帯等を考慮してもっと多くの「メッセージタイプ」を設定し、それに対応する各定型応答メッセージ１、２、３を登録するようにしてもよい。
【００５０】
【発明の効果】
以上説明した通り本発明は、応答メッセージ中に発信元情報（例えば、発信元電話番号等）やこれの関連情報（例えば、発信元名等）を含ませることにより、着信者側における発信者の正確な確認や着信者の早急に折り返し電話する意思等を発信者に伝えることが可能となると共に、発信者に親近感のある応答メッセージを容易に送出することが可能な通信端末装置を提供することができる。
【図面の簡単な説明】
【図１】  本実施形態に係る留守番録音機能付きの電話機の概略構成を示すブロック図である。
【図２】  本実施形態に係る電話機のＥＥＰＲＯＭの電話番号データ記憶エリアに記憶される電話番号データテーブルの一例を示す図である。
【図３】  本実施形態に係る電話機のＥＥＰＲＯＭの応答メッセージ記憶エリアに記憶される応答メッセージデータテーブルの一例を示す図である。
【図４】  本実施形態に係る電話機の留守番録音機能作動中に着信した場合における、発信元電話番号が電話番号データテーブルに登録されている場合の応答メッセージ送出処理のフローチャートである。
【図５】  本実施形態に係る電話機の留守番録音機能作動中に着信した場合における、発信元電話番号が電話番号データテーブルに未登録の場合の応答メッセージ送出処理のフローチャートである。
【符号の説明】
１      電話機
２      発信元電話番号付加判別手段
３      着信信号検出手段
４      ラインリレー
５      発信元電話番号判別手段
６      終話検出手段
７      通話回路
８      応答メッセージ送出手段
９      伝言メッセージ録音手段
１２    ＣＰＵ
１３    ＲＯＭ
１４    ＥＥＰＲＯＭ
１５    ＲＡＭ
２０    電話回線
【図１】
0003695147.tif 000002
【図２】
0003695147.tif 000003
【図３】
0003695147.tif 000004
【図４】
0003695147.tif 000005
【図５】
0003695147.tif 000006